Podtech/llm-jp-corpus-v4-ja_patent huggingface dataset:
(57)【要約】      （修正有）【課題】軽く、エコでコンパクトな扇子を提供する。【解決手段】一番内側に挿入されて入る最も小さな笏型折り紙５の端を引き出すと要Ｋを支点に次々とより大きな笏型折り紙１〜４が表れて檜扇状の形態になる様にする。その為、一番大きな笏型折り紙から数えて２番目から５番目には右方上部に約５ｍ角の突起２Ｔ〜５Ｔを形成する。１番目から４番目の笏型折り紙左方上部内側に約４ｍｍ角の接合部１Ｓ〜４Ｓを形成することによって、前述の突起部が次の笏型折り紙接合部にあたりそれ以上外れない様にする。また、美的見地から外側に折り目が見える様に、一番大きな笏型折り紙と一番小さなものは折り目を外側に配置している。【選択図】図１
0003172128.tif 000002
【実用新案登録請求の範囲】
【請求項１】
笏型折り紙数組を、要になる支点からの全長を順に小さくしたものを組み合わせて、挿入可能にしたことを特徴とする檜扇状簡易扇子。
【請求項２】
笏状折り紙数組の右方上部突起部分が、それらと対応する左方上部内側接合部分に当たり、外れない様に構成された請求項１記載の檜扇状簡易扇子。
【考案の詳細な説明】
【技術分野】
【０００１】本考案は、２つ折にした笏型の紙数組を挿入可能にした、檜扇形態の簡易扇子（エコ・ペーパー・ファン）に関するものである。
【背景技術】
【０００２】通常の扇子は高価で量がある。省電力対策や地球環境の為に、より簡易な扇子が求められる。
【考案の概要】
【考案が解決しようとする課題】
【０００３】現在、地球温暖化による気温対策、省エネルギー対策、省電力対策が求められている。
しかしながら、従来の扇子は高価で量がある。
簡易紙扇子（エコ・ペーパー・ファン）はコンパクトでエコ、軽くて身近に使える為、暑い日本の夏に涼風を提供できる可能性がある。
【課題を解決するための手段】
【０００４】本考案は扇子を安価に、同時に軽くコンパクトにする為、比較的丈夫な紙を使用した。
通常の扇子と同様開閉可能にする為、２つ折りした笏型の紙（以下、笏型折り紙と記載）を順に小さく５組作り、要を支点にそれぞれがより大きな笏型折り紙に挿入出来る様にした。すなわち、本考案に係る檜扇形態の簡易扇子（エコ・ペーパー・ファン）は、請求項の内容である。
【考案の効果】
【０００５】ポケットに入る大きさで重さ２０ｇと軽量、コンパクトでエコな涼風を実現する事ができる。
【図面の簡単な説明】
【０００６】
【図１】檜扇状簡易扇子の平面図。
【図２】檜扇状簡易扇子の分解斜視図（笏型折り紙１〜４上部部分図）。
【図３】檜扇状簡易扇子の分解斜視図（笏型折り紙２〜４上部部分図）。
【図４】檜扇状簡易扇子の分解斜視図（笏型折り紙５上部部分図）。
【考案を実施するための形態】
【０００７】一番内側に挿入されて入る最も小さな笏型折り紙の端を引き出すと要を支点に次々とより大きな笏型折り紙が表れて檜扇状の形態になる様にする。
その為、一番大きな笏型折り紙から数えて２番目から５番目には右方上部に約５ｍ角の突起（図１、２Ｔ〜５Ｔ）を形成する。
１番目から４番目の笏型折り紙左方上部内側に約４ｍｍ角の接合部（図１、１Ｓ〜４Ｓ）を形成することによって、前述の突起部が次の笏型折り紙接合部にあたりそれ以上外れない様にした。
また、美的見地から外側に折り目が見える様に、一番大きな笏型折り紙と一番小さなものは折り目を外側に配置している。
【実施例】
【０００８】以下、添付図面に従って説明する。
尚、図１は平面図、図２〜図４は分解斜視図でそれぞれ縮尺は任意で表示した。【０００９】図１の平面図の一番内側に挿入されて入る最も小さな笏型折り紙５の端を引き出すと、要Ｋを支点に、次々とより大きな笏型折り紙が表れて檜扇状の形態になる。
また、逆の動作で一番大きな笏型折り紙１の内部へそれぞれが挿入され、コンパクトな笏型を形成する。
笏型折り紙の２〜４に右方上部に突起部、笏型折り紙の１〜４に左方上部内側に接合部を形成する事によりそれぞれが外れない様になる。【００１０】図２において一番大きな笏型折り紙１の左方上部内側に接合部を形成する。
よって笏型折り紙２の右方上部の突起部（図１、２Ｔ）があたり外れない。【００１１】図３において笏型折り紙２から４は右方上部には上述突起部（図１、２Ｔ〜４Ｔ）、左方上部内側に上述接合部（図１、２Ｓ〜４Ｓ）を形成する。
よってそれぞれの突起部が、より大きな笏型折り紙の接合部にあたり外れない。【００１２】図４において一番内側に挿入されて入る最も小さな笏型折り紙５は右方上部の突起部（図１、５Ｔ）を形成する。
よって笏型折り紙４の接合部（図１、４Ｓ）にあたり外れない。【００１３】各笏型折り紙の表面下部に穴をあけ、それらを組み合わせ、カシメにて要Ｋを形成する事により檜扇形態の簡易扇子を実現する。
【産業上の利用可能性】
【００１４】笏状折り紙を印刷する事による広告の可能性を考えられる。
【符号の説明】
【００１５】１、  笏型折り紙紙１番目                    １
２、  笏型折り紙紙２番目                    ２
３、  笏型折り紙紙３番目                    ３
４、  笏型折り紙紙４番目                    ４
５、  笏型折り紙紙５番目                    ５
６、  笏型折り紙紙１番目左方上部内側接合部  １Ｓ
７、  笏型折り紙紙２番目左方上部内側接合部  ２Ｓ
８、  笏型折り紙紙３番目左方上部内側接合部  ３Ｓ
９、  笏型折り紙紙４番目左方上部内側接合部  ４Ｓ
１０、笏型折り紙紙２番目右方上部突起部      ２Ｔ
１１、笏型折り紙紙３番目右方上部突起部      ３Ｔ
１２、笏型折り紙紙４番目右方上部突起部      ４Ｔ
１３、笏型折り紙紙５番目右方上部突起部      ５Ｔ
１４、カシメ使用の要                        Ｋ
【図１】
0003172128.tif 000003
【図２】
0003172128.tif 000004
【図３】
0003172128.tif 000005
【図４】
0003172128.tif 000006
【手続補正書】
【提出日】平成23年9月16日(2011.9.16)
【手続補正１】
【補正対象書類名】実用新案登録請求の範囲
【補正対象項目名】全文
【補正方法】変更
【補正の内容】
【実用新案登録請求の範囲】
【請求項１】
全長と幅を順に小さくし二つ折りにした笏型折り紙数組を備え、最大全長の笏型折り紙の中へ、他の笏型折り紙を順に挿入し、要を支点に開閉可能にしたことを特徴とする檜扇状簡易扇子。
【請求項２】
前記笏型折り紙は、右方上部に突起部分が、左方上部内側に接合部分を有しているものであり、
前期突起部分がそれらと対応する前記接合部分に当たり、外れない様に構成された請求項１記載の檜扇状簡易扇子。
【手続補正２】
【補正対象書類名】明細書
【補正対象項目名】００１４
【補正方法】変更
【補正の内容】
【００１４】笏型折り紙を印刷する事による広告の可能性を考えられる。
(57)【要約】      （修正有）【課題】シャンプー等粘性の有る液体をレフィル袋から本体容器に無駄なく詰替えることができ、未使用時にはコンパクトに収納することができるシャンプー詰替え用具を提供する。【解決手段】軟質素材のロート部と、ロート部を固定する硬質素材のスタンド部とからなる。ロート部は、詰替え時に本体容器から外したポンプノズルの差込口の取り付け部を内側に有し、スタンド部は二本の直線部と、直線部の端部同士を連結する半円部とを、直線部同士が交差し、交差する点を中心に互いに回動するように組み合わせ、交差角が０度の時に、つまり未使用時に収納する際、二つの半円部で上下を逆にして足部となる為の円が形成されるように構成する。【選択図】図７
0003172120.tif 000002
【実用新案登録請求の範囲】
【請求項１】
本考案はレフィル袋入りシャンプー・リンス・ボディシャンプー等の本体容器への詰替え作業を簡易に行い、未使用時にはコンパクトに収納する為の、ロート部とそれを固定するスタンド部のセット。本体容器から外したポンプノズルの差し込み口を内側に取り付け、上部を折り返したりクリップで挟める事が可能な軟質素材のロートと、未使用時に折りたたむ事により上下を逆にして収納できるスタンドのセット。
【考案の詳細な説明】
【技術分野】
【０００１】  本考案は、レフィル袋入りシャンプー・リンス・ボディシャンプー等の詰替え作業を簡便にし、未使用時にはコンパクトに収納する用具に関する。
【背景技術】
【０００２】  従来、液体を詰替えるには本体容器の開口部にレフィル袋の先端注出口を差込み、手で支えながらレフィル袋を絞る。本体容器から外したポンプノズルは浴室床部に寝かせ、作業中にノズル先端部に付着した液体が浴室床部に流れ出る状態であった。【０００３】  大きなやぐら状で囲えば理屈上詰替え作業が出来るが、それでは未使用時の収納場所に難儀する。
【先行技術文献】
【特許文献】
【０００４】
【特許文献１】  特開２００３−３１２７００号公報
【特許文献２】  特開２００７−１８２２５５号公報
【特許文献３】  特開２０１１−２０７３４号公報
【特許文献４】  実登３１２０１４９号公報
【特許文献５】  実登３１４４８３８号公報
【特許文献６】  実登３１６３７１３号公報
【考案の概要】
【考案が解決しようとする課題】
【０００５】従来は詰替え作業を手で行っており、液体が粘性である為に時間がかかった。作業中には本体容器から取り外したポンプノズルの置き場が無く、浴室床部に放置するしかなかった。また、詰替え用具として様々なものが考案されているが、本体容器やレフィル袋はメーカーにより高さ・形状が違うので高さ等の微調整が難しい。その上、考案されている用具自体が大きくて未使用時の収納場所に困るものであった。
【課題を解決するための手段】
【０００６】スタンドを立ててロートを設置し、ロート内部にレフィル袋を入れてレフィル袋上部をクリップ（或いは洗濯ばさみ）でロートに留める事により、放置したままで詰替え作業が完了する。本考案のロートは軟質素材であり、折り返してスタンドに設置、レフィル袋上部を吊るすようにクリップでロートに固定する。それにより、液体が少なくなってきてもレフィル袋が折れ曲がることなく最期までピンと張った状態で、中味が全て本体容器に流れ落ちる。【０００７】ロート部内部にポンプノズルの差し込み口を設置した事により、従来は詰替え作業中に浴室の床部に置いていたポンプノズルの先端から垂れる液体洗剤も無駄なくロート内部から本体容器の中に詰替えられる。【０００８】コンパクトに収納することを考案した。ロート部は軟質素材なので洗って潰した状態で狭いスペースで保管でき、ステンレスのスタンド部は折りたたみ、上下を逆にすると家具等の隙間に立てて収納できる形を考案した。【０００９】ロート部分はシリコン等の軟質素材で、レフィル袋の大きさに合わせてスタンド上部に折り返して設置する。シャンプーやリンスの本体容器もメーカーにより微妙に高さが違うが、それもロート部分の折り返しで調整できる。
【図面の簡単な説明】
【００１０】
【図１】シリコン等の軟質素材のロート部。右はポンプノズルを内部の差し込み口に差し込んだ状態。
【図２】レフィル袋をロート内部にクリップで固定した状態の断面図。
【図３】スタンドを開いて立てた状態。
【図４】スタンドを折りたたんだ状態。
【図５】スタンドを上下逆にして収納する状態。
【図６】スタンドにロートを設置して上部を折り返した状態。
【図７】実際の使用時の状態である。
【図１】
0003172120.tif 000003
【図２】
0003172120.tif 000004
【図３】
0003172120.tif 000005
【図４】
0003172120.tif 000006
【図５】
0003172120.tif 000007
【図６】
0003172120.tif 000008
【図７】
0003172120.tif 000009
【手続補正書】
【提出日】平成23年7月28日(2011.7.28)
【手続補正１】
【補正対象書類名】実用新案登録請求の範囲
【補正対象項目名】請求項１
【補正方法】変更
【補正の内容】
【請求項１】
レフィル袋入りシャンプー・リンス・ボディシャンプー等の本体容器への詰替え作業において、軟質素材のロート部と、ロート部を固定する硬質素材のスタンド部のセットであって、前記ロート部は詰替え時に本体容器から外したポンプノズルの差込口の取り付け部を内側に有し、前記スタンド部は二本の直線部と、前記直線部の端部同士を連結する半円部とからなる二つの部品を、直線部同士が交差し、交差する点を中心に互いに回動するように組み合わせ、交差角が０度の時に、つまり未使用時に収納する際、二つの半円部で上下を逆にして足部となる為の円が形成されるように構成された、シャンプー詰替え用具。
(57)【要約】      （修正有）【課題】スカーフ・バンダナ・ストール・マフラー等の襟元や体に巻く布地の長さ調節を、結び直す、またピンを刺し直すことなく簡単に調節し、長さ調節における手間や時間を軽減し、布地へのダメージを軽減させる調整具を提供する。【解決手段】スカーフ・バンダナ・ストール・マフラー等の襟元や体に巻く布地の端を左右からまとめて布地を通す部分１あるいは左右から布地を通す部分２の部分に通し、布地を通す部分２の左右部分より別々にあるいは布地を通す部分１からまとめて引き出す。あとは好きな長さに調整具の位置を動かして位置を確定し留める。これにより長さ調節における手間や時間を軽減させ、布地へのダメージを軽減させる。装着の機会を増やす上、ファッション性の幅を広げることにも役立つ。【選択図】図２
0003172116.tif 000002
【実用新案登録請求の範囲】
【請求項１】
スカーフ・バンダナ・ストール・マフラー等の襟元や体に巻く布地の長さ調節が簡単にできる調整具。
【請求項２】
スカーフ・バンダナ・ストール・マフラー等の襟元や体に巻く布地を結んだり、ピンを刺したりせずに留める機能を持つ調整具。
【請求項３】
本体にアクセサリーを連結させる機能を持ち、服飾への適応範囲の幅を広げる特徴をもつ調整具。
【考案の詳細な説明】
【技術分野】
【０００１】本考案は、スカーフ・バンダナ・ストール・マフラー等の襟元や体に巻く布地の長さ調節か簡単にできる上、結んだりピンを刺したりすることなく留め具としての機能を持たせたファッション性を高める調整具に関するものである。
【背景技術】
【０００２】スカーフ・バンダナ・ストール・マフラー等の襟元や体に巻く布地等は直接結ぶか、ピン状のもので留めることで使用されており、装着時における長さ調節は、結び直すか、留め直すことで手間や時間がかかりわずらわしく感じたり、布地へのダメージが気になることがある。
【先行技術文献】
【特許文献】
【０００３】出願番号：実用新案出願２００５−６１０２  出願日：２００５年７月２９日  登録番号：登録実用新案第３１２０９５９号  登録日：２００６年４月５日  実用新案権者：森田  房枝考案者：森田  房枝  外１名  考案の名称：リング式吊り下げ器具【０００４】出願番号：特許出願平９−１９６２９３  出願日：１９９７年６月１８日公開番号：特許公開平１１−４７０８  公開日：１９９９年１月１２日  出願人：曽根  夏生  発明者：曽根  夏生  発明の名称：胸元を布片で飾るためのペンダント
【非特許文献１】
【考案の概要】
【考案が解決しようとする課題】
【０００５】スカーフ・バンダナ・ストール・マフラー等の襟元や体に巻く布地等の長さ調節を結び直す、ピンを刺し直すことなく調節でき、長さ調節における手間や時間を軽減し、布地へのダメージも軽減させる。
【課題を解決するための手段】
【０００６】図１の留め具▲１▼の部分に左右からまとめた布地を通し▲２▼の部分より左右から布地を出す。出した布地を押さえ、図２の▲４▼の様に留め具を上下にするだけで簡単に長さ調節できるようにし、位置を確定し留める。
【考案の効果】
【０００７】簡単に長さ調節できるようになることで、気軽に着用できるようになり、使用頻度が増える。【０００８】布地の大きさ（太さ）に合わせた調整具を作成することで、マフラーやストールなど大型の布地への使用も可能となり、対象年齢や性別に広がりができる。【０００９】図３▲６▼調整具中央部にアクセサリー等を取り付けることで、さまざまな個性に対応できるファッションアイテムとしての需要効果が期待できる。
【考案を実施するための形態】
【００１０】調整具図１の形状を基本とし、素材は皮製・木製・ゴム製・ガラス製・金属等など幅ひろいものから作成する。素材によっては滑りやすく、留まりにくい可能性を顧慮し図１▲３▼の様に布地を通す部分を波の形状にすることで、留まりを良くする。
【００１１】調整具の大きさ図１は布地の大きさ（太さ）に▲１▼▲２▼の大きさ（太さ）を合わせるものを作成し、マフラーやストールなどでも使用可能にし、対象となる年齢や性別に広がりをもたせる。
【００１２】調整具に図３▲６▼〜▲８▼の様な中央部にアクセサリー等を取り付けられる形態にし、さまざまな個性に対応できるファッションアイテムとする。
【実施例】
【００１３】図２の▲５▼【００１４】図３の▲９▼
【産業上の利用可能性】
【図面の簡単な説明】
【図１】調整具の形状及び実際に使用する部分を示した平面図である。
【図２】実際に長さ調節しているイメージと装着イメージを示した図である。
【図３】調整具にアクセサリーを付けたイメージと装着イメージを示した図である。
【符号の説明】▲１▼布地を通す部分
▲２▼布地を通す部分（左・右）
▲３▼留まりを良くするための波の形状部分
▲４▼長さ調節の方法
▲５▼装着完成図
▲６▼アクセサリー取り付け部分
▲７▼アクセサリー
▲８▼アクセサリー付調整具
▲９▼アクセサリー付調整具装着完成図
【図１】
0003172116.tif 000003
【図２】
0003172116.tif 000004
【図３】
0003172116.tif 000005
【手続補正書】
【提出日】平成23年5月31日(2011.5.31)
【手続補正１】
【補正対象書類名】実用新案登録請求の範囲
【補正対象項目名】請求項１
【補正方法】変更
【補正の内容】
【請求項１】
ひとつの穴とふたつ穴を備え、それぞれの穴から布地を通し、位置をずらすことで長さ調節が簡単にできることを特徴とする調整具。
【手続補正２】
【補正対象書類名】実用新案登録請求の範囲
【補正対象項目名】請求項２
【補正方法】変更
【補正の内容】
【請求項２】
穴の空いている縁を波の形状にし、ずれにくくすることで留め具の機能をもつ請求項１に記載の調整具。
【手続補正３】
【補正対象書類名】実用新案登録請求の範囲
【補正対象項目名】請求項３
【補正方法】変更
【補正の内容】
【請求項３】
調整具の中央部に穴を開けアクセサリーを取り付けられるようにした請求項１に記載の調整具。
【手続補正書】
【提出日】平成23年9月20日(2011.9.20)
【手続補正１】
【補正対象書類名】実用新案登録請求の範囲
【補正対象項目名】請求項１
【補正方法】変更
【補正の内容】
【請求項１】
襟元や体に巻く布地の両端をまとめて、ひとつの穴に表から入れ、反対側にあるふたつの穴に裏からそれぞれ縫う様に（逆でも可能）布地を出すことで摩擦力を生じさせ、布地を結び直したり、ピンを刺し直す手間や布地へのダメージを与えることなく希望の位置に固定することが可能となり、自分の好みの長さ調整が簡単にできることを特徴とする襟元や体に巻く布地の調整具。
【手続補正２】
【補正対象書類名】実用新案登録請求の範囲
【補正対象項目名】請求項２
【補正方法】変更
【補正の内容】
【請求項２】
穴の空いている縁を波の形状にし、ずれにくくすることで留め具の機能をもつ請求項１に記載の襟元や体に巻く布地の調整具。
【手続補正３】
【補正対象書類名】実用新案登録請求の範囲
【補正対象項目名】請求項３
【補正方法】変更
【補正の内容】
【請求項３】
調整具の中央部に穴を開けアクセサリーを取り付けられるようにした請求項１に記載の襟元や体に巻く布地の調整具。
(57)【要約】      （修正有）【課題】滑止め用スパイクピンに複合素材を使用し、耐久性の向上を図り滑止めの効果を確実且つ、長期間継続できるスパイクピン及びそれを用いた靴底を提供する。【解決手段】スパイクピン本体に該本体に比較して硬度、耐久性に優れた素材２を組み込み、先端部を研磨し鋭利なものとし複合素材スパイクピン３を製作する。フェルト素材にスパイクピン３を組み込み、靴底を製作し、靴の底面に接着する事によってフェルト素材とスパイクピンの滑止めの相乗効果を得る事ができる。【選択図】図３
0003172119.tif 000002
【実用新案登録請求の範囲】
【請求項１】
軟鉄鋼及びステンレス鋼等による土台に超硬鋼又は高強度、高耐久素材を圧入又は溶接、ロウ付けして固定し先端部を研磨し鋭利にさせたスパイクピンを製作する。
【請求項２】
請求項１で製作したスパイクピンをフェルト素材に組み込み、靴底を製作し、靴の靴底に接着し滑り止めとして使用する。
【考案の詳細な説明】
【技術分野】
【０００１】  本考案は、滑止めに複合素材を用いたスパイクピン及び複合素材を用いたスパイクピンを使用した靴底に関するものである。
【背景技術】
【０００２】  漁業や魚釣り等において河川を徒渉する際や、海洋の岩礁地帯での滑り止めとして靴底にフェルト素材を使用していた。しかし、河川によっては川底の表面に水垢（苔）が繁殖していたり、岩礁地帯においては海藻の付着や岩礁の形状等により滑りやすく、フェルトだけでは滑止めの効果は不十分であった。解決法としてフェルト素材の中にスパイクピンを組み込んだ靴底が存在するが、スパイクピン先端部の摩耗が円柱状になるため、効果の継続に乏しかった。
【特許文献】
【０００３】
【特許文献１】  特開２００２−０８５１０７号
【考案の概要】
【考案が解決しようとする課題】
【０００４】  フェルトの滑止め効果にスパイクピンの滑止め効果を加えた靴底は存在するが、スパイクピンの効果期間が短く、また使用環境においては殆ど効果を発揮できない場合も見受けられた。原因としてはスパイクピンの消耗による保持力の低下があげられるが、複合素材を用いて耐久性の向上を図り前途の問題を解決しようとするものである。
【考案の効果】
【０００５】  上途の様に、本考案の複合素材を用いたスパイクピンは先端部に使用した素材の耐久性が優れているため長期間に渡ってその効果を持続する事ができる。また、先端部の摩耗が進んでもスパイクピン本体の径よりも先端部の素材径が細いため小さな隙間に先端部が入りやすく効果の低下を軽減できる。
【図面の簡単な説明】
【０００６】
【図１】  スパイクピンの本体である。
【図２】  スパイクピン本体１に素材２を組み込みした状態である。
【図３】  スパイクピンを研磨した状態である。
【図４】  スパイクピン３の断面図である。
【図５】  フェルト素材４にスパイクピン３を組み込んだ断面図である。
【図６】  フェルト素材４にスパイクピン３を組み込んだ靴底である。
【図７】  フェルト素材４とスパイクピン３を組み込んだ靴底５を靴６に接着した装着図である。
【考案を実施するための形態】
【０００７】  複合素材で制作したスパイクピンをポリプロピレンからなる合成繊維フェルト素材に組み込み、靴底に接着し滑止めとして使用する。
【実施例】
【０００８】  以下、添付図面によって一実施例を説明する。１は軟鋼及びステンレス鋼等で加工されたスパイクピン土台に２の超硬及び高強度、高耐久素材を圧入又は溶接し、先端部に研磨加工を行い３を制作する。ポリプロピレンからなる合成繊維フェルト素材４にスパイクピン３を組み込み、ピンの周囲をピンの倒伏を防ぐために硬質ゴム又は接着剤にて周囲を固定する。組み込みの完了したフェルトスパイク５を６の靴底に接着し使用する。
【符号の説明】
【０００９】１  軟鋼及びステンレス製スパイクピン土台
２  超硬及び高耐久性鋼
３  複合スパイクピン
４  フェルト素材
５  複合スパイクピンを組み込んだフェルト素材
６  靴及び長靴
【図１】
0003172119.tif 000003
【図２】
0003172119.tif 000004
【図３】
0003172119.tif 000005
【図４】
0003172119.tif 000006
【図５】
0003172119.tif 000007
【図６】
0003172119.tif 000008
【図７】
0003172119.tif 000009
【手続補正書】
【提出日】平成23年7月28日(2011.7.28)
【手続補正１】
【補正対象書類名】実用新案登録請求の範囲
【補正対象項目名】請求項１
【補正方法】変更
【補正の内容】
【請求項１】
軟鉄鋼及びステンレス鋼等による土台と、前記土台に圧入又は溶接、ロウ付けして固定し、その先端部を研磨され鋭利となっている超硬鋼又は高強度、高耐久素材とからなるスパイクピン。
【手続補正２】
【補正対象書類名】実用新案登録請求の範囲
【補正対象項目名】請求項２
【補正方法】変更
【補正の内容】
【請求項２】
請求項１に記載のスパイクピンを組み込んだフェルト素材を接着したことを特徴とする靴底。
(57)【要約】      （修正有）【課題】着用時に、より暖かく快適な上衣を提供する。【解決手段】上衣の前身裏、脇裏、背裏、袖裏をフリースにすることにより暖かく快適。フリースを使用することにより胸回り、背中、袖等が軽くて暖かく身体によりフィットした快適な着心地が得られる。フリースを使用するだけなので縫製工程も簡単でコストを上げることなくウォームビズとして最適である。【選択図】図１
0003172165.tif 000002
【実用新案登録請求の範囲】
【請求項１】
上衣の前身裏、脇裏、背裏、袖裏にフリースを使用することで暖かさを特徴とした上衣
【考案の詳細な説明】
【技術分野】
【０００１】この考案は、上衣の前身、脇、背、袖の裏地にフリースを使用することにより従来の裏地使かいよりもはるかに暖かく快適。
【背景技術】
【０００２】上衣の前身裏、脇裏、背裏、袖裏地にフリースを使用するだけなので縫製工程も簡単でコストを上げることなくウォームビズとして最適です。
【考案が解決しようとする課題】
【０００３】従来の上衣の裏仕様は夏冬同じ素材で薄い裏地が使用されており冬においては暖かくありませんでした。中にはライナー等取り外し可能な製品もありますが縫製工程も複雑でコストも高くなり上衣も重たくなり着用感あまりよくありませんでした。
【考案の結果】
【０００４】フリースを使用することにより胸回り、背中、袖等が軽くて暖かく身体によりフィットした快適な着心地が得られます。
【図面の簡単な説明】
【０００５】
【図１】上衣の前身裏、脇裏、背裏、袖裏
【符号の説明】
【０００６】１０  前身裏フリース
１１  脇裏フリース
１２  背裏フリース
１３  袖裏フリース
【図１】
0003172165.tif 000003
(57)【要約】      （修正有）【課題】新生児から乳幼児まで、長期にわたる使用を可能とし、よだれかけを取り替える回数を最小限におさえるよだれかけを提供する。【解決手段】扇形状から、首まわりにあたる中心部を抜いた形状の表面生地、吸水用の生地、防水用の生地を重ねて縫製し、着用した際に首まわり全周を覆うようにする。【選択図】図１
0003172163.tif 000002
【実用新案登録請求の範囲】
【請求項１】
円周が１８０°より長い扇形から、首周りにあたる中心部を抜いた形状であり、同形状の表面生地、吸水用の生地、防水用の生地の３枚を重ねて縫合し、着用した際、首周り全周を覆う、新生児、乳幼児用よだれかけ。
【考案の詳細な説明】
【技術分野】
【０００１】  本考案は、新生児、乳幼児用のよだれかけに関わるものである。
【背景技術】
【０００２】  従来のよだれかけは、ほとんどが前掛け状のものであり、特に乳幼児の場合、首を左右に動かすことで、よだれかけがずれ、衣服を汚す原因となっていた。また、新生児用だと、ほとんどが一枚仕立てで、多量のよだれに対応できない。特許文献１（実開平７−０４３４４７）のように、前掛け状でないものもあるが、これは幼児用に特化しており、まだ起きられない新生児、乳児には受け皿などが邪魔になり、新生児からの長期利用はできない。
【先行技術文献】
【特許文献】
【０００３】
【特許文献１】実開平７−０４３４４７
【考案の概要】
【考案が解決しようとする課題】
【０００４】  従来のよだれかけだと、新生児用は、ほとんどが一枚仕立ての前掛け状で、布面が少なく、多量のヨダレを吸収するには何度も取り替える必要がある。幼児用だと、食べこぼしを防ぐための工夫（受け皿など）がされていることが多く、新生児からの長期の使用の妨げになっている。
【課題を解決するための手段】
【０００５】  本考案は、着用時の形状を円形にすることで、首の動きによって、本品がずれても衣類を守り、生地を３枚仕立てにすることで吸水性を高めた。また、デザインを、フラットな生地にボタンを付けただけの、シンプルなものにした。
【考案の効果】
【０００６】  本考案により、よだれかけを取り替える回数を最小限にでき、新生児から乳幼児にいたるまで、長期の使用が可能となり、寝たままの新生児でも、容易に取替えができ、幼児になってもよだれや食べこぼしを防ぐことができる。
【図面の簡単な説明】
【０００７】
【図１】本考案よだれかけの、平面図である。
【図２】本考案よだれかけの、着用図である。
【図３】本考案よだれかけの、断面図である。
【考案を実施するための形態】
【０００８】  図１のような、扇形から、首周りにあたる中心部を抜いた形状の、表面生地、吸水用の生地、防水用の生地の３枚を重ねて縫合したもの。着用した際、図２のように、首周り全体を覆う。
【実施例】
【０００９】  以下、添付図面に従って、一実施例を説明する。図１、平面図の形状に、１表面生地、２吸水用の生地、３防水用の生地を裁断する。【００１０】  図３の順に３枚の生地を重ね合わせ、縫合する。【００１１】  図１、４の位置に、成長による調節ができるよう、数箇所ボタンをつける。
【符号の説明】
【００１２】  １    表面生地
２    吸水生地
３    防水生地
４    ボタン
【図１】
0003172163.tif 000003
【図２】
0003172163.tif 000004
【図３】
0003172163.tif 000005
(57)【要約】      （修正有）【課題】回り止め金具が生地を傷めずにバッジ裏面のねじ付きスタッドが装着時にスタッドを損傷したり不快感を感じさせないねじ具を提供する。【解決手段】ナイロン樹脂などの合成樹脂から成るカップ状で、中央に円筒状の突起物があり、該突起物の中心には金属製の袋状のねじ５が挿入され、内側面の上部に複数個の突起物７がある止めねじ具本体に、ポリアセタール樹脂などの合成樹脂からなる上部にリング状のギザギザ状の鋸歯を有し、外側面にリング状のリブ９があり、かつ下側には止めねじ具本体の円筒状の突起物が入る貫通孔１０を持つリング状の隆起物１１がある緩み止め中枠２が装着される。【選択図】図２
0003172166.tif 000002
【実用新案登録請求の範囲】
【請求項１】
ナイロン樹脂などの合成樹脂から成るカップ状で、中央に円筒状の突起物６があり、該突起物６の中心には金属製の袋状のねじ５が挿入されており、更に止めねじ具本体１の内側面の上部にはリング状または放射線状に複数個の突起物７がある止めねじ具本体１に、ポリアセタール樹脂などの合成樹脂からなる上部にリング状のギザギザ状の鋸歯８を有し、外側面にリング状のリブ９があり、かつ下側には止めねじ具本体１の円筒状の突起物６が入る貫通孔１０を持つリング状の隆起物１１がある緩み止め中枠２が装着され、止めねじ具本体１より外れ落ちなく、かつ回転可能になっている構造を形成することを特徴とするバッジの止めねじ具。
【考案の詳細な説明】
【技術分野】
【０００１】  本考案は記章などのバッジを製品に取り付けるための止めねじ具に関する。
【背景技術】
【０００２】  従来のバッジの止めねじ具は金属製であり、中央部に貫通した穴を有し、該穴にはねじ部が設けられ、本体中心部の貫通ねじの周りにリブ部があり、カップ状の縁にギザギザ状の鋸歯を持ち、かつ中央に貫通孔を有する回り止め金具が本体のリブ部に嵌着し、本体の貫通穴を中心に回転可能になっているものが一般的であり、バッジの主部を洋服や防止などの服飾品に固定するために使用するものであった。
【考案の概要】
【考案が解決しようとする課題】
【０００３】  前記従来型の止めねじ具は、回り止め金具が金属製のため、強くねじ込んだ時や長年使用したりすると回り止め金具が接触する所の生地を傷めたり、また中央のねじ部が貫通しているため、バッジの主部裏面にあるねじ付きスタッドが装着時、該スタッドの先端が生地が身体を押すことにより接触する生地を損傷したり身体を刺激し不快感を生じさせたりする。更に金属製のため着色などがほとんど不可能で装飾性に欠けていて、錆びるという心配も懸念されている。【０００４】  そこで、本考案は以上の課題を解決するため、ナイロン樹脂などの合成樹脂から成るカップ状で中央に円筒状の突起物６があり、該突起物６の中心には金属製の袋状のねじ５が挿入されており、更に止めねじ具本体１の内側面の上部にはリング状、又は放射線状に複数個の突状物７がある止めねじ具本体１に、ポリアセタール樹脂などの合成樹脂からなる上部にリング状のギザギザ状の鋸歯８を有し、外側面にリング状のリブ９があり、かつ下側には止めねじ具本体１の円筒状の突起物６が入る貫通孔１０を持つリング状の隆起物１１がある緩み止め中枠２が装着され、止めねじ具本体１より外れ落ちなく、かつ回転可能になっている構造を形成したバッジの止めねじ具とすることにより、前記課題を解消した。
【考案の効果】
【０００５】上記のように本考案のバッジの止めねじ具では緩み止め中枠２が合成樹脂で弾力性があって錆びることもなく、止めねじ具本体１に嵌着されていて、止める生地を損傷することを防止する。また、止めねじ具本体１の中央ねじ部が貫通した穴でないため、バッジ本体のスタッド４が接触する生地を傷めることもなく、また接触する身体に当たることもないので不快感も生じさせない、従来の止めねじ具とは異なる止めねじ具となる。
【図面の簡単な説明】
【０００６】
【図１】図１は、本考案の止めねじ具とバッジ本体が組み合わさった状態を示す斜視図である。
【図２】図２は、図１のＡ−Ａ断面図である。
【図３】図３は、本考案の止めねじ具とバッジ本体を生地に装着した状態を示す斜視図である。
【図４】図４は、図３のＢ−Ｂ断面図である。
【図５】図５は、従来例を示す斜視図である。
【図６】図６は、本考案の止めねじ具とバッジ本体の緩み止め中枠の上面図である。
【考案を実施するための形態】
【０００７】  止めねじ具本体１において、ねじを緩める際に、緩み止め中枠２が当たる生地の損傷を防止する。また、止めねじ具本体１の中央に金属製の袋状のねじ５が挿入されており、貫通した穴でないため、バッジ本体３のスタッドが貫通しないことを示してある。止めねじ具本体１の素材としてはナイロン樹脂、ポリエステル樹脂及びその他止めねじ具として好ましい合成樹脂を用いる。緩み止め中枠２の素材としてはポリアセタール樹脂及び緩み止め中枠として好ましい合成樹脂を用いる。材質は合成樹脂なので錆び防止にもつながる。
【実施例】
【０００８】以下、添付図面に従って一実施例を説明する。１は止めねじ具本体、２は緩み止め中枠、３はバッジ本体、４はスタッド、５は袋状のねじ、６は突起物、７は突状物、８はギザギザ状の鋸歯、９はリブ、１０は貫通孔、１１はリング状の隆起物、１２は生地である。【０００９】  図１は緩み止め中枠２が装着された止めねじ具本体１とバッジ本体３とを組み合わせた状態であって、止めねじ具本体１において、ねじを締める際に、緩み止め中枠２が当たる生地の損傷を防止する。【００１０】  図２は図１のＡ−Ａ断面図であって、止めねじ具本体１はカップ状で中央に円筒状の突起物６があり、内側面の上部にリング状の突起物がある。緩み止め中枠２は上部にリング状のギザギザ状の鋸歯８を持ち、外側面にはリング状のリブ９があり、かつ下側には止めねじ具本体１の円筒状の突起物６が入る貫通孔１０を持っている。止めねじ具本体１の内側面の上部にあるリング状の突起物７と緩み止め中枠２のリブ９により、緩み止め中枠２が止めねじ具本体１より外れ落ちることなく、かつ回転可能になっている。【００１１】図３は、本考案の止めねじ具とバッジ本体が生地に装着された状態を示す斜視図、図４は図３のＢ−Ｂ断面図、図５は、従来例を示す斜視図、図６は、本考案の止めねじ具とバッジ本体に係る緩み止め中枠の上面図である。
【符号の説明】
【００１２】１…ねじ具本体
２…緩み止め中枠
３…バッジ本体
４…スタッド
５…袋状のねじ
６…突起物
７…突状物
８…ギザギザ状の鋸歯
９…リブ
１０…貫通孔
１１…リング状の隆起物
１２…生地
【図１】
0003172166.tif 000003
【図２】
0003172166.tif 000004
【図３】
0003172166.tif 000005
【図４】
0003172166.tif 000006
【図５】
0003172166.tif 000007
【図６】
0003172166.tif 000008
(57)【要約】【課題】  植物を庭に植えると、他の植物たとえば、根から繁殖する芝生や雑草からの成長妨害を受ける。また、それらの植物の間に入って目立たなくなる。【解決手段】  植物を上面と下面を開放した円筒状または角柱状の埋め鉢で囲い、埋め鉢の側面の一部を地中に埋めることにより、繁殖性の高い芝生や雑草から大切な植物を守ることができる。また、側面が地表に突き出している埋め鉢は、中の植物を目立たせ、鑑賞性を高める。さらに、砂利などを敷いた庭では、砂利石が植物の根に絡み根の成長を妨げる恐れがあるが、埋め鉢を使用することにより中の植物を砂利から守ることができる。【選択図】図１
0003172162.tif 000002
【実用新案登録請求の範囲】
【請求項１】
植物の囲いであって、地中に該囲いの側面の一部を埋め、該囲いの中に植物を植えて芝生や雑草等の妨害から該植物を隔離して守り、および／または、該植物の鑑賞性を高めた上面および下面が開放の円筒状または角柱状の埋め鉢。
【請求項２】
請求項１において、上記囲いの上端に幅広い縁を付け、これに様々な色彩とデザインを施して該囲いの鑑賞性を一層高めた埋め鉢。
【考案の詳細な説明】
【技術分野】
【０００１】  地中に側面の一部を埋め、中に植物を植えて芝生や雑草等から隔離保護し、または、中の植物の観賞性を上げる埋め鉢に関するものである。
【背景技術】
【０００２】  従来、植木鉢があるが、中に植物を植え、地表から離して飾棚に置いたり、部屋に持ち込んで、観賞または育苗するためのものである。本考案品は、従来の植木鉢の底をとった形状に似ているが、地中に一部を埋めて植物を隔離するためのもので、従来の植木鉢とは、機能も効果も異なる。
本考案品と形状が似ている先行特許、特開２０００−１３９２２６「底無し植木蜂とその底なし植木鉢を介した植物育成法」があるが、土壌への移植または定植を目的として、着脱容易な底蓋構造または、腐食分解性の底蓋を使用したもので、植木鉢とともに露地に移植または定植しなければならない時に、底蓋を取るか、または底蓋の腐食分解により、植木鉢内の植物の根が移植土壌中に伸びていけるようにしたものである。
【先行技術文献】
【特許文献】
【０００３】
【特許文献１】特開２０００−１３９２２６
【考案の概要】
【考案が解決しようとする課題】
【０００４】  植物を庭に植えると、他の植物たとえば、根から繁殖する芝生や雑草による成長妨害を受ける。また、それらの植物の間に入って目立たなくなる。
【課題を解決するための手段】
【０００５】  この課題に鑑み、本考案者は、植物を囲う、上面と下面を開放した円筒状または角柱状の埋め鉢を考案した。埋め鉢の側面の一部を地中に埋め、鉢の中に植物を植える。これにより、繁殖性の高い芝生や雑草の根が近づくのを防ぎ大切な植物を守ることができる。また、側面が地中より突き出している埋め鉢は、中の植物を目立たせ、鑑賞性を高める。他の植物の中で目立ち、愛おしいという感じを出す。さらに、砂利などを敷いた庭では、砂利石が大切な植物の根に絡み根の成長を妨げる恐れがあるが、埋め鉢を使用することにより、大切な植物の根を砂利から守ることができる。【０００６】  埋め鉢の材料は、陶磁器製、プラスチック製、金属製、ガラス製、木製の何でも良い。また、鑑賞性を上げるために側面は、釉薬を施すなり、模様を付けてもよい。また、埋め鉢の形状は、円筒形、角柱形、六角柱形、八角柱形等でもよい。【０００７】  埋め鉢の中の植物は、下部の開放部より根を伸ばすことができ、植木鉢のように根がいっぱいになり枯れたり、植え替える必要はない。また、土中の水分を吸い上げるので水やりを植木鉢のように頻繁に行う必要がない。【０００８】  埋め鉢の下端は、丸みを付け、植物の根が下端の角に触れて傷がつかないようにする。できれば、埋め鉢を水平に据え付けし易いように下端は幅広い平坦な縁をつける。また、埋め鉢の上端は、幅広い縁を付けると、どっしりとした感じが出て鑑賞性が向上する。上部の幅広い縁は埋め鉢の鑑賞性を向上する重要なポイントで色彩を含め、様々なデザインを取りうる。【０００９】埋め鉢のサイズは、大（３５ｃｍφ×３０ｃｍＨ）、中（２５ｃｍφ×２５ｃｍＨ）、小（１５ｃｍφ×２０ｃｍＨ）を基本とするが、必要に応じてサイズやデザインも変える。陶磁器製であれば、釉薬（ゆうやく）を施すことにより、艶が出て鑑賞性が向上する。【００１０】  埋め鉢を地中に埋める深さは、地表から鉢の高さの１／４〜１／５が適当で、地表から５ｃｍ程度埋没していることが、他の植物からの妨害を防ぐことができる。深く埋め過ぎると、中の植物の土中への根の成長を妨げたり、鑑賞性が落ちる。傾斜地に埋める場合は、鑑賞性がさらに増すが、埋める深さは浅い部分でも地表から５ｃｍ程度埋没する。
【考案の効果】
【００１１】１．芝生や雑草から大切な植物を守ることができる。
２．庭の中で埋め鉢は独立して目立ち、他の草花とは、その違いを強調して見せることができる。
３．砂利敷きの庭などで埋め鉢を使えば、花と砂利の境をきっちりと分離できて、草花の成長を妨げられない。
４．従来の植木鉢では、水やりの頻度が高いが埋め鉢は地中に埋めることで散水の手間がかからない。
５．鉢を地中に埋めることで意外性があり、いとおしいと思う植物をその中で育てることは、さらなる愛情を向けることができる。
６．植物を従来の植木鉢に植え込み、それを地中に埋めただけでは、２〜３年もすれば根は、鉢の中いっぱいになり植物は枯れてしまうが、埋め鉢の中の植物は枯れない。
【図面の簡単な説明】
【００１２】
【図１】は本考案の埋め鉢の斜視図である。
【産業上の利用可能性】
【００１３】  家庭の庭、公園、庭園などで使用し、大切な植物を中に植えて使用すれば、中の植物を芝生、雑草等から守り、また、鑑賞性を高めることができる。
【符号の説明】
【００１４】１．埋め鉢本体
２．内部の空洞
３．上端の幅広い縁
４．下端の幅広い平坦な縁
【図１】
0003172162.tif 000003
(57)【要約】      （修正有）【課題】配線束、部品の取り付け金具等が不要な消火設備内蔵用の蓄電池設備を提供する。【解決手段】入出力端子台を制御用基板に実装し、制御用基板、スイッチング電源及びＮＦＢを１枚のシャーシーに取り付ける。【選択図】図１
0003172444.tif 000002
【実用新案登録請求の範囲】
【請求項１】
制御用基板に入出力端子台を実装し、制御用基板と入出力端子台間の配線を不要としたことを特徴とする消火設備内蔵用の蓄電池設備
【請求項２】
１枚のシャーシーに制御用基板、スイッチング電源及びＮＦＢ等を取り付けた事を特徴とする消火設備内蔵用の蓄電池設備
【考案の詳細な説明】
【技術分野】
【０００１】停電等の非常時に消火設備を稼働させるための消火設備内蔵の蓄電池設備に関するものである。
【背景技術】
【０００２】従来の非常用蓄電池設備は、制御用基板４と入出力端子台７を配線束８で接続していた。
【考案の概要】
【考案が解決しようとする課題】
【０００３】製品の組立作業の省力化および、製造原価の低減
【課題を解決するための手段】
【０００４】入出力端子台７を制御用基板４に実装し、また制御用基板４、スイッチング電源５、ＮＦＢの部品類を１枚のシャーシー３に取り付ける。
【考案の効果】
【０００５】配線束、部品の取り付け金具等が不要となり、製作工程が短縮でき、製造原価を削減出来る。
【図面の簡単な説明】
【０００６】
【図１】は当考案の蓋と本体の平面図です。
【図２】は当考案前の蓋と本体の平面図です。
【符号の説明】
【０００７】１  ケース
２  ケース蓋
３  シャーシー（基板等の部品を取付る板）
４  制御用基板
５  スイッチング電源
６  ＮＦＢ（ブレーカー）
７  入出力端子台
８  配線束
９  蓄電池収容部
１０  蓋切りかき部
【図１】
0003172444.tif 000003
【図２】
0003172444.tif 000004
【手続補正書】
【提出日】平成23年8月15日(2011.8.15)
【手続補正１】
【補正対象書類名】実用新案登録請求の範囲
【補正対象項目名】請求項２
【補正方法】変更
【補正の内容】
【請求項２】
１枚のシャーシーに制御用基板、スイッチング電源及びＮＦＢを取り付けた事を特徴とする請求項１記載の消火設備内蔵用の蓄電池設備
(57)【要約】      （修正有）【課題】ネックレスとペンダントの組み合わせに於いて、ペンダントの位置に対してネックレスがズレて見た目の美しさが損なわれることを、ネックレスの中央部に窪みを設けることで防止するとともに、ペンダントの交換を容易にするネックレスを提供する。【解決手段】ネックレス６の中央部分に窪み３を設けることにより、ペンダント１がネックレスの６の窪み３部に引っ掛かりネックレス６とペンダント１のズレを防止するとともに、容易に取り外し可能とする。ペンダント１はネックレス６の引き輪４側またはプレート５側をバチカン２部に通すことにより、窪み３部へ引っかけられる。前記組立によれば、首に掛けたネックレス６とペンダント１の組み合わせに於いて自重で下がったペンダント１の位置に対してネックレス６が不用意にズレることがない。またペンダント１も容易に取り外し可能となり種々のペンダントとの組み合わせも楽しめる。【選択図】図２
0003172450.tif 000002
【実用新案登録請求の範囲】
【請求項１】
ネックレスの窪みによりペンダントトップが固定されネックレスの留め金具がペンダントトップと重ならない  オメガ状の窪みパーツをネックレスの中央部分にロー付けすれば今までのネックレスにも利用できる
【考案の詳細な説明】
【技術分野】
【０００１】本考案はネックレスがズレて留め金具とペンダントが重なるのを防ぐものである。
【背景技術】
【０００２】今までは鏡を見たり第三者にネックレスのズレを指摘されて、日に何回も直していました。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】ネックレスがズレて留め金具とペンダントが重なり合わないようにネックレスの中央部分に窪みを付けた。
【課題を解決するための手段】
【０００６】ネックレスの中央部分の窪みにペンダントのバチカンをひっかける為ペンダントとネックレスが重ならない。
【考案の効果】
【０００７】ペンダントとネックレスのズレをなくすにはペンダンを直接ネックレスにロー付けして固定すればよいが、そのネックレスは他のペンダントに使用できない。ネックレスのズレ防止はペンダントがネックレスの中央部分から移動しない為、見た目も美しい。ペンダントは取り外し自由なため何種類のペンダントにも使用出来る。
【図面の簡単な説明】
【０００８】
【図１】本考案のペンダント、ネックレスのズレ防止、正面拡大図
【図２】ペンダント、ネックレスの全体図
【考案を実施するための形態】
【０００９】ペンダントトップをネックレスの中央部分の窪みに入れる。
【実施例】
【００１０】ペンダントが移動しないためネックレスの留め金具の引き輪がズレてペンダントと重なり合う事がない。
【符号の説明】
【００１１】１  ペンダント
２  バチカン
３  ネックレスの窪み
４  引き輪
５  プレート
６  ネックレス
【図１】
0003172450.tif 000003
【図２】
0003172450.tif 000004
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
ネックレスがズレて引き輪やプレートがペンダントに、重なり合わないようにネックレスの中央部分に窪みを設けたことを特徴とするネックレス。
【手続補正２】
【補正対象書類名】明細書
【補正対象項目名】全文
【補正方法】変更
【補正の内容】
【考案の詳細な説明】
【技術分野】
【０００１】本考案はネックレスがズレて引き輪やプレートがペンダントと重なることを防ぐネックレスに関するものである
【背景技術】
【０００２】従来のネックレスとペンダントの組み合せに於いてはネックレス上をペンダントが自由に移動できるような組み合わせになっている。特許文献１に記載された発明もその一例である。
【先行技術文献】
【特許文献】
【０００３】
【特許文献１】特開２００８−１１３９７０号  公報
【考案の概要】
【考案が解決しようとする課題】
【０００４】従来のネックレスとペンダントの組み合わせに於いてはネックレス上をペンダントが自由に移動できるような組み合わせになっているため、ペンダントの位置に対してネックレスがズレて、ネックレスの引き輪部やプレート部がペンダント部と重なり合うなど見た目の美しさが損なわれることから自分で鏡を見て直したり第三者からネックレスのズレを指摘されその都度、直していた。【０００５】本考案は前記従来の課題に着目しネックレスとペンダントのズレを防止するとともにペンダントの交換も容易に行えることを目的としたものである。
【問題を解決するための手段】
【０００６】本考案はネックレスの中央部分に窪みを設けることにより前記課題を解決しようとするものである。
【考案の効果】
【０００７】上述の様に、本考案ではネックレスの中央部分に窪み設けたことによりペンダントが前記窪み部分に引っ掛かりネックレスとペンダントのズレを防止する。またネックレスとペンダントは簡単に取り外すことが可能で、ペンダントの交換も容易である。
【図面の簡単な説明】
【０００８】
【図１】本考案のネックレスの中央窪み部分とその拡大図である。
【図２】ネックレスとペンダントの全体図である。
【考案を実施するための形態】
【０００９】ネックレスの中央部分に一方が開放された窪みを有する部分を取り付ける。ネックレスに通したペンダントの一部が前記、窪み部分に引っかかることにより、ネックレスとペンダントのズレが防止される。窪み部分は一方が解放されているため、ペンダントを簡単にネックレスから取り外すことができる。
【実施例】
【００１０】以下、添付図に従って実施例を説明する。窪み３を設ける部分としてネックレス６の留め金具部分である引き輪４およびプレート５の対向部分としている。取り付けは窪み３の開口部へ引き輪４側のネックレス、プレート側のネックレスをそれぞれロウ付けにより固定する。固定の方法としては溶接または加締めでもよい。窪み３の形状は半円形、Ｖ字系でもよくペンダント１のバチカン２部が引っ掛かればよい。【００１１】ペンダント１はネックレス６の引き輪４側またはプレート５側をバチカン２部に通すことにより、窪み３部へ引っかけられる。【００１２】前記組立によれば、首に掛けたネックレス６とペンダント１の組み合わせに於いて自重で下がったペンダント１の位置に対してネックレス６が不用意にズレることがない。またペンダント１も容易に取り外し可能となり種々のペンダントとの組み合わせも楽しめる。
【符号の説明】
【００１３】１  ペンダント２  バチカン３  ネックレスの窪み４  引き輪５  プレ−ト６  ネックレス